(57)【要約】【課題】壁パネルや天井パネルの熱変形等を吸収して安定した接続状態が得られる天井パネルの接続構造を提供する。【解決手段】ユニットルームの天井パネルの外周端部を壁パネルの上端部にレールを介して接続する天井パネルの接続構造であって、レールは、壁パネルの上端部に載置固定されて天井パネルの重量を支えることが可能な壁パネル固定部と、天井パネルの外周端部に固定されると共に壁パネル固定部に対して変形可能な天井パネル固定部と、を備えることを特徴とする。前記天井パネル固定部は、その板厚を壁パネル固定部よりも薄く形成するか、壁パネル固定部よりも柔らかな材料で形成するか、あるいは壁パネル固定部との連結部分に変形機構を設けるかの、少なくとも一つによって変形可能に構成される。【選択図】  図１
2007146624.tif 000002
【特許請求の範囲】
【請求項１】
ユニットルームの天井パネルの外周端部を壁パネルの上端部にレールを介して接続する天井パネルの接続構造であって、
前記レールは、壁パネルの上端部に載置固定されて天井パネルの重量を支えることが可能な壁パネル固定部と、天井パネルの外周端部に固定されると共に前記壁パネル固定部に対して変形可能な天井パネル固定部と、を備えることを特徴とする天井パネルの接続構造。
【請求項２】
前記天井パネル固定部は、その板厚を前記壁パネル固定部よりも薄く形成するか、壁パネル固定部よりも柔らかな材料で形成するか、あるいは壁パネル固定部との連結部分に変形機構を設けるかの、少なくとも一つによって変形可能に構成されていることを特徴とする請求項１に記載の天井パネルの接続構造。
【請求項３】
前記壁パネル固定部は、壁パネルの上端部に載置される略板状の平板部と、該平板部から立設された垂直部及びこの垂直部の上部に水平方向に延設された水平部からなる天井パネル支持部とを有し、前記水平部の先端部と前記平板部の端部により目地カバー装着部が形成されていることを特徴とする請求項１または２に記載の天井パネルの接続構造。
【請求項４】
前記天井パネル固定部は、前記壁パネル固定部の平板部に立設状態で一体形成されていることを特徴とする請求項３に記載の天井パネルの接続構造。
【請求項５】
前記天井パネル固定部は、前記天井パネル支持部の水平部もしくは垂直部に延設状態で一体形成されていることを特徴とする請求項３に記載の天井パネルの接続構造。
【請求項６】
前記天井パネル支持部は、天井パネル固定部の固定孔に対応した位置に固定作業用の開口を有すると共に、該天井パネル支持部の後方側に前記天井パネル固定部が位置することを特徴とする請求項３ないし５のいずれかに記載の天井パネルの接続構造。
【請求項７】
前記壁パネル固定部は、その壁パネルへの載置面にシール機能を有する突条が一体形成されていることを特徴とする請求項１ないし６のいずれかに記載の天井パネルの接続構造。
【発明の詳細な説明】
【技術分野】
【０００１】
本発明は、例えばシステムバスルーム等のユニットルームの壁パネル上端部に天井パネルを接続するための天井パネルの接続構造に関する。
【背景技術】
【０００２】
従来、システムバスルームの場合、壁パネルの上端部にドーム形状や平板形状の天井パネルが接続されており、この天井パネルの壁パネルへの接続構造としては、例えば図９及び図１０に示す構造が採用されている。この接続構造は、図９に示すように、壁パネル１０３の上端面と天井パネル１０２の外周端部とを固定するレール１０４と、このレール１０４に装着される目地カバー１０５等によって構成されている。
【０００３】
この時、レール１０４は、図１０に示すように、平板状で裏面にパッキン１０８が貼着され壁パネル１０３の上端面に載置固定される壁パネル固定部１０４ａと、この壁パネル固定部１０４ａの略中間位置から上方に略Ｌ字状に立ち上げ形成された天井パネル固定部１０４ｂと、この天井パネル固定部１０４ｂの先端部と壁パネル固定部１０４ａの端部とによって形成される凹溝状のカバー装着部１０４ｃ等を有し、これらがアルミニウムの押出成形等によって、例えば壁パネル１０３の幅に対応した長さの長尺状に形成されている。
【０００４】
そして、レール１０４の壁パネル固定部１０４ａをネジ１０６で壁パネル１０３に固定し、天井パネル固定部１０４ｂの垂直部をネジ１０７で天井パネル１０２に固定すると共に、カバー装着部１０４ｃに目地カバー１０５を装着することにより、壁パネル１０３と天井パネル１０２が、レール１０４の壁パネル固定部１０４ａの裏面に貼着されたパッキン１０８により止水性が確保された状態で接続されるようになっている。なお、この種の接続構造としては、例えば特許文献１に開示されている。
【特許文献１】特開２００５−１３９８１５号公報
【発明の開示】
【発明が解決しようとする課題】
【０００５】
しかしながら、このような接続構造においては、壁パネル１０３の上端面に固定されたレール１０４によって天井パネル１０２の重量を支えると共に、壁パネル１０３と天井パネル１０２とがアルミニウム等の剛性を有するレール１０４を介してがっちりと強固に固定される構造であるため、浴室内の温度上昇等により、例えば断熱材やＦＲＰ等の複合材で形成された壁パネル１０３やブロー成形等で形成された天井パネル１０２に熱変形が生じた場合、雑音がしたり壁パネル１０３と天井パネル１０２との間に隙間が発生する虞がある等、安定した接続状態が得られ難い。
【０００６】
本発明は、このような事情に鑑みてなされたもので、その目的は、壁パネルや天井パネルの熱変形等を吸収して安定した接続状態が得られる天井パネルの接続構造を提供することにある。
【課題を解決するための手段】
【０００７】
かかる目的を達成すべく、本発明のうち請求項１に記載の発明は、ユニットルームの天井パネルの外周端部を壁パネルの上端部にレールを介して接続する天井パネルの接続構造であって、前記レールは、壁パネルの上端部に載置固定されて天井パネルの重量を支えることが可能な壁パネル固定部と、天井パネルの外周端部に固定されると共に前記壁パネル固定部に対して変形可能な天井パネル固定部と、を備えることを特徴とする。
【０００８】
そして、前記天井パネル固定部は、請求項２に記載の発明のように、その板厚を前記壁パネル固定部よりも薄く形成するか、壁パネル固定部よりも柔らかな材料で形成するか、あるいは壁パネル固定部との連結部分に変形機構を設けるかの、少なくとも一つによって変形可能に構成されていることが好ましい。
【０００９】
また、前記壁パネル固定部は、請求項３に記載の発明のように、壁パネルの上端部に載置される略板状の平板部と、該平板部から立設された垂直部及びこの垂直部の上部に水平方向に延設された水平部からなる天井パネル支持部とを有し、前記水平部の先端部と前記平板部の端部により目地カバー装着部が形成されていることが好ましい。また、前記天井パネル固定部は、請求項４に記載の発明のように、前記壁パネル固定部の平板部に立設状態で一体形成されていたり、請求項５に記載の発明のように、前記天井パネル支持部の水平部もしくは垂直部に延設状態で一体形成されていることが好ましい。
【００１０】
さらに、前記天井パネル支持部は、請求項６に記載の発明にように、前記天井パネル固定部の固定孔に対応した位置に固定作業用の開口を有すると共に、該天井パネル支持部の後方側に前記天井パネル固定部が位置することが好ましく、また、前記壁パネル固定部は、請求項７に記載の発明のように、その壁パネルへの載置面にシール機能を有する突条が一体形成されていることが好ましい。
【発明の効果】
【００１１】
本発明の請求項１に記載の発明によれば、天井パネルを壁パネルに接続するレールが、壁パネルの上端部に載置固定されて天井パネルの重量を支えることが可能な壁パネル固定部と、天井パネルの外周端部に固定されると共に壁パネル固定部に対して変形可能な天井パネル固定部とを備えるため、変形可能な天井パネル固定部により接続状態の壁パネルや天井パネルの熱変形等を吸収することができて、天井パネルと壁パネル間に安定した接続状態を得ることができる。
【００１２】
また、請求項２に記載の発明によれば、請求項１に記載の発明の効果に加え、天井パネル固定部が、その板厚を壁パネル固定部よりも薄くしたり、壁パネル固定部よりも柔らかな材料で形成したり、あるいは壁パネル固定部との連結部分に凹溝等の変形機構を設けることによって構成されているため、各パネルの熱変形度合い等に応じて最適構成の天井パネル固定部を選択できて、各種パネルに的確に対応することができる。
【００１３】
また、請求項３に記載の発明によれば、請求項１または２に記載の発明の効果に加え、壁パネル固定部が平板部と天井パネル支持部を有し、天井パネル支持部の水平部の先端部と平板部の端部により目地カバー装着部が形成されているため、レールの剛性を高めて天井パネル支持部で天井パネルの重量を安定して支持することができると共に、目地カバー装着部に目地カバーをユニットルーム内から簡単に装着すること等ができる。
【００１４】
また、請求項４に記載の発明によれば、請求項３に記載の発明の効果に加え、壁パネル固定部の平板部に天井パネル固定部が立設状態で一体形成されているため、天井パネル固定部を壁パネル固定部の平板部に立設状態で簡単かつ安価に形成することができる。
【００１５】
また、請求項５に記載の発明によれば、請求項３に記載の発明の効果に加え、天井パネル支持部の水平部もしくは垂直部に天井パネル固定部が延設状態で一体形成されているため、天井パネル支持部に一体形成される天井パネル固定部により、天井パネルの寸法バラツキ等に的確に対応できて一層良好な接続状態を得ることができる。
【００１６】
さらに、請求項６に記載の発明によれば、請求項３ないし５に記載の発明の効果に加え、天井パネル支持部が、天井パネル固定部の固定孔に対応した位置に固定作業用の開口を有すると共に、該天井パネル支持部の後方側に天井パネル固定部が位置するため、天井パネル固定部の天井パネルへの固定作業を、天井パネル支持部の垂直部に設けた開口を利用してユニットルーム内から簡単に行うことができる。
【００１７】
また、請求項７に記載の発明によれば、請求項１ないし６に記載の発明の効果に加え、壁パネル固定部の壁パネルへの載置面にシール機能を有する突条が一体形成されているため、突条により両パネルの接続部分における止水性を十分に確保することができると共に、レールの固定により止水性が自動的に確保されて止水作業自体を極めて簡単に行うことができる。
【発明を実施するための最良の形態】
【００１８】
以下、本発明を実施するための最良の形態を図面に基づいて詳細に説明する。
図１〜図４は、本発明に係わる天井パネルの接続構造の一実施形態を示し、図１が接続部分の断面図、図２がレールの斜視図、図３がレールの断面図、図４が図３のＡ−Ａ線に沿った矢視図である。
【００１９】
図１に示すように、システムバスルーム等の浴室１の天井パネル２は、その外周端部２ａが壁パネル３の上端部３ａに、レール４と、このレール４に装着される目地カバー５等によって接続（連結）されている。前記レール４は、図２〜図４に示すように、例えばアルミニウムの押出成形や硬質樹脂の成形によって、壁パネル３の左右幅と略同一長さの長尺状に形成され、壁パネル固定部４ａと天井パネル固定部４ｂを備えている。
【００２０】
そして、壁パネル固定部４ａは、壁パネル３の上端部３ａ（上端面）に載置状態でその固定孔１３を介してネジ８（図１参照）によって固定されると共に、室内１ａ側と室外１ｂ側に下方及び上方に向けて突出形成された位置決め用の突条６ａと突条６ｂを有する略板状の平板部６と、この平板部６上に立設された天井パネル支持部７を有している。天井パネル支持部７は、平板部６の室内１ａ側で上方に向けて一体形成された垂直部７ａと、この垂直部７ａの先端部に室内１ａ側方向に向けて一体的に延設された水平部７ｂ等で形成されている。
【００２１】
また、天井パネル支持部７の水平部７ｂと壁パネル固定部４ａの平板部６により断面略コ字状のカバー装着部１０が形成されると共に、このカバー装着部１０の開口端部である水平部７ｂの先端部と平板部６の端部には、それぞれ内側斜め方向に向けて鈎状の係止部１０ａがそれぞれ一体形成されている。さらに、壁パネル固定部４ａの平板部６の壁パネル３との当接面となる裏面には、その幅方向に複数列（図では３列）の断面略半円弧形状で樹脂製の止水突条１１が、例えば多色成形によりレール４の長手方向の全長に亘って一体形成されると共に、壁パネル支持部７の垂直部７ａには、その長手方向の所定位置に後述する固定孔１２よりも大径の開口１４が複数個形成されている。
【００２２】
一方、前記天井パネル固定部４ｂは、壁パネル支持部７の垂直部７ａ後方側（室外１ｂ側）の平板部６上に略立設状態で、例えばレール４の長手方向全長に亘って一体形成されている。そして、この天井パネル固定部４ｂは、図３に示す板厚ｔ１が、壁パネル固定部４ａの平板部６や垂直部７ａ等の板厚ｔ２に対して例えば１／２程度薄く形成されることにより、図３の二点鎖線ａ、ｂで示すように左右方向に、あるいは図１に示す形状に変形可能に形成されている。なお、この天井パネル固定部４ｂの長手方向の所定位置には複数個の前記固定孔１２が形成されており、この固定孔１２からネジ９を天井パネル２にねじ込むことにより、天井パネル２の外周端部２ａの後述するレール固定部１７に固定されるようになっている。
【００２３】
前記目地カバー５は、図１に示すように、例えばゴムや軟質樹脂等の弾性材で形成され、レール４の上下方向の幅と略同一幅を有するカバー部５ａと、このカバー部５ａの裏面側に一体形成された係合突条５ｂを有している。また、目地カバー５のカバー部５ａの上下には、弾性変形可能な当接片５ｃ、５ｄが長手方向の全域に亘って形成されており、この当接片５ｃ、５ｄが弾性変形して天井パネル２の外周端部２ａ内面や壁パネル３の上端部３ａ内面に当接するようになっている。そして、この目地カバー５は、前記係合突条５ｂの内部に空洞部１５が形成されることで係合突条５ｂが所定の弾性を有し、この係合突条５ｂが前記カバー装着部１０に係止されることによりレール４に装着されるようになっている。
【００２４】
次に、前記レール４と目地カバー５を使用した天井パネル２と壁パネル３の接続方法の一例について説明する。先ず、レール４の壁パネル固定部４ａの平板部６を、例えば断熱材やＦＲＰ等の表面材、合板等の複合材により形成された壁パネル３の上端面に載置し、該平板部６に設けた複数の固定孔１３からネジ８を壁パネル３の上端面の位置決め孔３ｂ部分にそれぞれねじ込むことによって、壁パネル固定部４ａの平板部６を壁パネル３の上端部３ａに固定する。この時、ネジ８の壁パネル３の上端面へのねじ込みによって、平板部６の裏面に一体形成された樹脂製の止水突条１１が変形したりあるいは壁パネル３の上端面に食い込むこと等により、平板部６と壁パネル３の上端面間に固定と同時に止水性が確保された状態となる。
【００２５】
レール４の壁パネル固定部４ａを壁パネル３に固定したら、次にレール４の上面側に、例えばスーパーブロー成形等により所定形状に形成された天井パネル２の外周端部２ａを載置する。この時、天井パネル２の外周端部２ａには、板厚が所定に設定されたレール固定部１７と、段差状の平坦なレール当接面１８が形成されており、このレール当接面１８がレール４の壁パネル支持部７の水平部７ｂ上に載置されると共に、レール固定部１７がレール４の天井パネル固定部４ｂより室外１ｂ側（後方側）に位置した状態となっている。また、レール４のカバー装着部１０は、室内１ａ側に開口した状態となっている。
【００２６】
そしてこの状態で、室内１ａ側に開口しているレール４のカバー装着部１０から、天井パネル支持部７の垂直部７ａに設けた開口１４を利用して、天井パネル固定部４ｂの複数の固定孔１２からネジ９を天井パネル２のレール固定部１７にそれぞれねじ込む。この時、垂直部７ａの開口１４の大きさが固定孔１２より大径に形成されていることから、例えばドライバー（工具）を室内１ａ側から開口１４に挿入してネジ９を天井パネル２に簡単にねじ込むことができる。
【００２７】
また、レール４の天井パネル固定部４ｂがその板厚ｔ１を薄くすることで変形可能に形成されているため、天井パネル２やレール等の多少の寸法誤差も吸収することが可能となる。このようなネジ９のねじ込みによって、天井パネル２がレール４を介して壁パネル３に接続され、この状態でレール４のカバー装着部１０に目地カバー５をその係合突条５ｂの弾性を利用して嵌め込むことにより、目地カバー５がレール４に装着されて天井パネル２と壁パネル３の接続作業が完了する。
【００２８】
そして、この接続状態において、浴室１内の温度上昇により、天井パネル２が例えば図１の室内１ａ側方向に熱変形すると、この熱変形に応じて特にレール４の天井パネル固定部４ｂにおける３００ｍｍ程度の間隔で形成された固定孔１２部分が室内１ａ側に変形して、天井パネル２の熱変形が吸収される。また、壁パネル３が熱変形した場合も同様にして、天井パネル固定部４ｂの室内１ａ側方向や室外１ｂ側方向への変形により吸収される。つまり、浴室１内の温度上昇による両パネル２、３の熱変形がレール４の天井パネル固定部４ｂのみの変形で吸収され、例えば両壁パネル２、３の変形による雑音の発生が抑制されたり、両壁パネル２、３間に隙間が発生して止水性の低下や浴室１内の見栄えの低下が抑制される。また、壁パネル３や天井パネル２の振動に対しても、両パネル２、３を接続するレール４の天井パネル固定部４ｂの変形により所定の振動が吸収されて、例えば両パネル２、３間の隙間発生等が抑制される。
【００２９】
このように、上記実施形態の浴室１の天井パネル２にあっては、壁パネル３に接続するレール４が、壁パネル３の上端部３ａに載置固定されると共に天井パネル２のレール当接面１８が当接されて該天井パネル２の重量を支えることが可能な天井パネル支持部７を有する壁パネル固定部４ａと、天井パネル２の外周端部２ａに固定されると共に壁パネル固定部４ａに対して変形可能な天井パネル固定部４ｂを有しているため、変形可能な天井パネル固定部４ｂにより接続状態の壁パネル３や天井パネル２の熱変形等を吸収することができる。
【００３０】
特に、天井パネル固定部４ｂが、その板厚ｔ１を壁パネル固定部４ａの板厚ｔ２よりも薄くすることにより変形可能に形成されていることから、簡易な構成により両パネルの熱変形や振動等を効果的に吸収できると共に、天井パネル固定部４ｂの固定孔１２部分のみが部分的に略凸状に変形するように構成することで、天井パネル固定部４ｂと天井パネル２の外周端部２ａとの固定が部分支持状態となり、例えば両パネル２、３の二次元的な変形は勿論のこと三次元的な変形等にも的確に対応することができて、天井パネル２と壁パネル３間に安定した接続状態を容易に得ることが可能となる。
【００３１】
また、壁パネル固定部４ａが、平板部６と天井パネル支持部７を有する断面異形形状に形成されているため、垂直部７ａと水平部７ｂからなる略Ｌ字形状の天井パネル支持部７で天井パネル２の重量を安定して支持することができると共に、断面異形形状によりレール４の天井パネル固定部４ｂ以外の部分の剛性を高めることができ、レール４により両パネル２、３の長期に亘る安定した接続状態を得ることが可能となる。
【００３２】
さらに、天井パネル支持部７の水平部７ｂの先端部と平板部６の端部により目地カバー装着部１０が形成されているため、目地カバー装着部１０に目地カバー５を室内１ａ側から簡単に装着することができる。また、天井パネル支持部７の垂直部７ａの後方側に天井パネル固定部４ｂが設けられると共に、天井パネル支持部７の垂直部７ａに天井パネル固定部４ｂの固定孔１２に対応して固定作業用の開口１４が設けられているため、天井パネル支持部７の垂直部７ａ後方側に設けられた天井パネル固定部４ｂの天井パネル２への固定作業を、大径の開口１４を利用して室内１ａ側から簡単に行うことができて、レール４の固定作業を容易に行うことができる。これらにより、目地カバー５の装着や天井パネル２の固定作業等が容易となり、天井パネル２の接続作業の効率化を図ることが可能となる。
【００３３】
また、壁パネル固定部４ａの壁パネル３への載置面となる平板部６の裏面にシール機能を有する止水突条１１が多色成形により予め一体的に形成されているため、レール４の壁パネル固定部４ａを壁パネル３にネジ８で固定するだけで、止水突条１１により十分な止水性を簡単に確保することができると共に、樹脂製の３条の止水突条１１により長期に亘り安定した止水性の確保が可能となる。また、止水突条１１をレール４の成形と同時に形成するようにすれば、従来のようにパッキン１０８の貼付作業が不要となり、レール４自体を安価に形成できると共に、天井パネル２の接続作業の一層の効率化を図ることができる。
【００３４】
ところで、上記実施形態においては、レール４の天井パネル固定部４ｂの板厚ｔ１を平板部６等よりも薄く形成することにより変形可能に構成したが、本発明はこの構成に限定されず、例えば図５及び図６に示すように構成することもできる。以下、上記例と同一部位には同一符号を付して説明する。先ず、図５に示すレール４の特徴は、天井パネル固定部４ｂを壁パネル固定部４ａよりも柔らかい材質により、例えば多色成形により一体形成した点にある。すなわち、例えばレール４の壁パネル固定部４ａに硬質樹脂を使用し、天井パネル固定部４ｂに軟質樹脂を使用して、これらを多色成形（二色成形）により同時に一体形成する。この例においても、軟質樹脂からなる天井パネル固定部４が二点鎖線ａ、ｂ等で示すように変形して、上記例と同様の作用効果を得ることができる。
【００３５】
また、図６に示すレール４の特徴は、天井パネル固定部４ｂの根本となる壁パネル固定部４ａの平板部６との連結部分に、天井パネル固定部４ｂの厚さｔ１が薄くなるように凹溝１９（変形機構）を設けた点にある。この時、凹溝１９は、図に示すように連結部分の両面にそれぞれ設けても良いし、片方の面にのみ設けるようにしても良いし、凹溝１９の形状も天井パネル固定部４ｂが変形可能な適宜形状を採用することができる。この例によれば、凹溝１９部分が一種の蝶番として機能して、天井パネル固定部４ｂの左右方向等への変形が可能となり、上記例と同様の作用効果を得ることができる。
【００３６】
このように、本発明に係わるレール４の天井パネル固定部４ｂの変形構造は、天井パネル２や壁パネル３の構造あるいは要求される止水性等に応じて、上記した３つの例のそれぞれやこれらを複合した構造、あるいは図示しない他の適宜の構造を採用することができるし、その際の板厚ｔ１等も変形が可能で所定の剛性を確保できる適宜の板厚を採用することができる。なお、この天井パネル固定部４ｂの変形構造は、後述する他の実施形態の接続構造に適用することもできる。
【００３７】
図７及び図８は、本発明に係わる接続構造の他の実施形態を示す断面図及びレールの斜視図である。以下、上記実施形態と同一部位には、同一符号を付して説明する。この実施形態の接続構造の特徴は、前記レール４の天井パネル固定部４ｂを、壁パネル固定部４ａの水平部６ではなく、天井パネル支持部７の水平部７ｂの後方側に延設状態で設けた点にある。すなわち、前記天井パネル支持部７の水平部７ｂの後方側となる反カバー装着部１０側に、天井パネル固定部４ｂの基端部４ｂ１を一体形成すると共に、この天井パネル固定部４ｂの先端部４ｂ２を斜め下方に屈曲させて延設しその先端をフリーとする。これにより、天井パネル固定部４ｂが断面形状において略Ｌ字形状で水平部７ｂの端部に一体的に延設された状態となっている。
【００３８】
そして、上記実施形態と同様に、レール４の壁パネル固定部４ａを壁パネル３の上端部３ａにネジ８で固定すると共に、天井パネル支持部７の水平部７ｂ上に天井パネル２の外周端部２ａを載置し、この状態で、天井パネル支持部７の開口１４及び天井パネル固定部４ｂの固定孔１２を利用して、ネジ９を天井パネル２の外周端部２ａにねじ込むことにより、レール４を介して壁パネル３と天井パネル２が接続されることになる。この接続構造においても、上記実施形態と同様の作用効果が得られる他に、天井パネル固定部４ｂが天井パネル支持部７に設けられていることから、次のような作用効果が得られる。
【００３９】
すなわち、浴室１内の温度上昇により壁パネル３や天井パネル２が変形する場合があり、このような場合、壁パネル３は図７の矢印イの如く室内側にせり出す動きをし、天井パネル２は、図７の矢印ロの如く壁パネル３の外側に捲り上がるような動きをすることが確認されている。そして、本実施形態の場合、このような動きが水平部７ｂから略Ｌ字形状に延設されている天井パネル固定部４ｂにより吸収される。また、天井パネル２の成形時のバラツキ等により、天井パネル２の外形形状である特に図７の寸法ｈが許容範囲内でショート気味にできあがる場合があるが、このような場合も、天井パネル固定部４ｂが寸法ｈ方向に略上方から下方に向けて延設されていることから、天井パネル２の取付自体に余裕を持たせることができる。これらのことから、天井パネル２と壁パネル３の接続部分に長期に亘り安定した接続状態が得られることになる。この実施形態の場合、天井パネル固定部４ｂの基端部４ｂ１を水平部７ｂに対して水平方向に延設させたが、例えば基端部４ｂ１を水平部７ｂに対して斜め下方に向けて延設したり垂直部７ａの上部に水平方向や斜め下方に向けて延設することもできる。
【００４０】
なお、上記各実施形態における、レール４自体の形状や目地カバー５の形状、止水突条１１の数や位置等は一例であって、例えば天井パネル固定部４ｂをレール４の長手方向の全長に亘って設けることなく複数箇所に所定長さで設ける等、本発明の各発明に係わる要旨を逸脱しない範囲において適宜に変更することができる。
【産業上の利用可能性】
【００４１】
本発明は、内部に浴槽を備えたシステムバスルーム等の浴室の天井パネルへの利用に限らず、例えばシャワールームやサウナルーム等の各種ユニットルームの天井パネルにも利用できる。
【図面の簡単な説明】
【００４２】
【図１】本発明に係わる天井パネルの接続構造の一実施形態を示す断面図
【図２】同そのレールの斜視図
【図３】同レールの断面図
【図４】同図３のＡ−Ａ線に沿った矢視図
【図５】同レールの変形例を示す要部の断面図
【図６】同レールの他の変形例を示す要部の断面図
【図７】本発明に係わる天井パネルの接続構造の他の実施形態を示す断面図
【図８】同そのレールの斜視図
【図９】従来の天井パネルの接続構造の断面図
【図１０】同そのレールの断面部
【符号の説明】
【００４３】
１・・・浴室、１ａ・・・室内、１ｂ・・・室外、２・・・天井パネル、２ａ・・・外周端部、３・・・壁パネル、３ａ・・・上端部、４・・・レール、４ａ・・・壁パネル固定部、４ｂ・・・天井パネル固定部、４ｂ１・・・基端部、４ｂ２・・・先端部、５・・・目地カバー、５ａ・・・カバー部、５ｂ・・・係合突条、６・・・平板部、７・・・天井パネル支持部、７ａ・・・垂直部、７ｂ・・・水平部、８、９・・・ネジ、１０・・・カバー装着部、１０ａ・・・係止部、１２、１３・・・固定孔、１４・・・開口、１５・・・空洞部、１６・・・係止部、１７・・・レール固定部、１８・・・レール当接面、１９・・凹溝（変形機構）。
【図１】
2007146624.tif 000003
【図２】
2007146624.tif 000004
【図３】
2007146624.tif 000005
【図４】
2007146624.tif 000006
【図５】
2007146624.tif 000007
【図６】
2007146624.tif 000008
【図７】
2007146624.tif 000009
【図８】
2007146624.tif 000010
【図９】
2007146624.tif 000011
【図１０】
2007146624.tif 000012